(57)【要約】【課題】情報閲覧装置の状態に応じて、当該情報閲覧装置を識別するための情報を効果的に表示することができる情報閲覧システムの提供。【解決手段】表示部を備える複数の情報閲覧装置と、前記複数の情報閲覧装置を挿抜可能に保持する複数のスロットを備える保持装置と、を含む情報閲覧システムにおいて、前記保持装置は、前記複数のスロットの位置情報と、各々のスロットに挿入されている前記情報閲覧装置のサイズと、に基づいて、各々の情報閲覧装置の前記表示部の視認可能な表示領域を特定する視認可能表示領域特定部と、前記視認可能な表示領域のサイズに応じて、当該表示領域に表示する情報の表示形態を設定し、前記各々の情報閲覧装置の前記表示部の前記特定した視認可能な表示領域に、前記設定した表示形態で、前記各々の情報閲覧装置を識別するための情報を表示させる制御部と、を備える。【選択図】図４
2012088383.tif 000002
【特許請求の範囲】
【請求項１】
表示部を備える複数の情報閲覧装置と、前記複数の情報閲覧装置を挿抜可能に保持する複数のスロットを備える保持装置と、を含む情報閲覧システムにおいて、
前記保持装置は、
前記複数のスロットの位置情報と、各々のスロットに挿入されている前記情報閲覧装置のサイズと、に基づいて、各々の情報閲覧装置の前記表示部の視認可能な表示領域を特定する視認可能表示領域特定部と、
前記視認可能な表示領域のサイズに応じて、当該表示領域に表示する情報の表示形態を設定し、前記各々の情報閲覧装置の前記表示部の前記特定した視認可能な表示領域に、前記設定した表示形態で、前記各々の情報閲覧装置を識別するための情報を表示させる制御部と、を備える、ことを特徴とする情報閲覧システム。
【請求項２】
前記制御部は、前記情報閲覧装置が挿抜された場合に、前記視認可能な表示領域のサイズの変化に応じて、前記情報の表示形態を変更する、ことを特徴とする請求項１に記載の情報閲覧システム。
【請求項３】
前記複数の情報閲覧装置は、前記表示部が同じ方向を向くように保持され、かつ、前記表示部に正対する方向から見て、前側の情報閲覧装置越しに、後側の情報閲覧装置の前記表示部の一部が見えるように保持される、ことを特徴とする請求項１又は２に記載の情報閲覧システム。
【請求項４】
前記情報の表示形態は、文字サイズであり、
前記制御部は、前記視認可能な表示領域のサイズが相対的に大きい情報閲覧装置には、相対的に大きい文字サイズで、前記情報を表示させる、ことを特徴とする請求項１乃至３のいずれか一に記載の情報閲覧システム。
【請求項５】
前記情報は、前記情報閲覧装置に書き込まれたデータのファイル名、当該情報閲覧装置にデータを書き込んだユーザを識別する情報、当該ユーザが指定した情報、のいずれかを含む、ことを特徴とする請求項１乃至４のいずれか一に記載の情報閲覧システム。
【発明の詳細な説明】
【技術分野】
【０００１】
本発明は、情報閲覧システムに関し、特に、情報閲覧装置と当該情報閲覧装置を保持する保持装置とを含む情報閲覧システムに関する。
【背景技術】
【０００２】
近年、電子ペーパー等の表示部を備えた情報閲覧装置が普及しており、様々な形態で利用されている。例えば、会議等の資料を紙媒体として出力する代わりに、資料の電子データを情報閲覧装置に記憶して表示部に表示させ、資源の消費削減を図っている。
【０００３】
このような形態で利用するには、情報閲覧装置を電子データの送受信が可能な状態で保管する必要があることから、情報閲覧装置を挿抜可能な保持装置（クレードル）を用意し、保持装置と情報閲覧装置との間でデータ通信を行うと共に、保持装置から供給される電力によって情報閲覧装置を充電するようにしている。
【０００４】
ここで、保持装置に挿入した複数の情報閲覧装置を複数のユーザで共有する場合、各ユーザはどの情報閲覧装置が自身に割り当てられた装置であるかが分かり難いことから、複数の情報閲覧装置を識別可能にする方法が求められている。
【０００５】
情報閲覧装置に関する発明ではないが、装置の識別に関連する技術として、例えば、下記特許文献１には、ディスプレイに表示される「プロパティ」のダイアログボックスに、プリンタの外観を模式的に示す絵図の画像と、プリンタへの給紙に関わる情報を示す給紙掲示欄と、プリンタからの排紙に関わる情報を示す排紙掲示欄とを関連づけて表示し、どの排紙口から排紙されるかを識別可能にする方法が開示されている。
【先行技術文献】
【特許文献】
【０００６】
【特許文献１】特開２０００−２９３３３３号公報
【発明の概要】
【発明が解決しようとする課題】
【０００７】
上記特許文献１の技術を利用し、例えば、保持装置の表示部などに情報閲覧装置に関する情報を一覧表示することにより、複数の情報閲覧装置を識別可能にする方法が考えられる。しかしながら、この方法では、保持装置などに、情報閲覧装置に関する情報を一覧表示可能な大きさの画面が必要になる。また、情報閲覧装置を使用するユーザは、画面と複数の情報閲覧装置とを見比べながら所望の情報閲覧装置を選択しなければならず、利便性が悪い。
【０００８】
一方、ＦＡＸ受信したデータを紙に出力するとき、ＦＡＸ受信者情報を紙の先端に出力して、その情報が見えるようにソードする方法がある。そこで、この方法を利用し、例えば、複数の情報閲覧装置を保持装置に段々に保持し、各々の情報閲覧装置の表示部の所定の位置（例えば、先端部）に情報閲覧装置を識別するための情報を表示する方法が考えられる。
【０００９】
しかしながら、保持装置のスロットの間隔や情報閲覧装置のサイズなどによって、各々の情報閲覧装置の視認可能な表示領域は異なるため、情報閲覧装置の所定の位置に上記情報を表示しても、その情報をユーザが視認できるとは限らず、所望の情報閲覧装置を容易に識別することができない。
【００１０】
また、情報の視認性を向上させるためには、できるだけ広い領域に情報を表示することが望まれるが、一律に情報閲覧装置の所定の位置に情報を表示する方法では、効果的に情報を表示することができず、所望の情報閲覧装置を容易に識別することができない。
【００１１】
また、情報閲覧装置は保持装置に適宜着脱され、視認可能な表示領域は変化するため、一律に情報閲覧装置の所定の位置に情報を表示する方法では、効果的に情報を表示することができず、所望の情報閲覧装置を容易に識別することができない。
【００１２】
本発明は、上記問題点に鑑みてなされたものであって、その主たる目的は、情報閲覧装置の状態に応じて、当該情報閲覧装置を識別するための情報を効果的に表示することができる情報閲覧システムを提供することにある。
【課題を解決するための手段】
【００１３】
上記目的を達成するため、本発明は、表示部を備える複数の情報閲覧装置と、前記複数の情報閲覧装置を挿抜可能に保持する複数のスロットを備える保持装置と、を含む情報閲覧システムにおいて、前記保持装置は、前記複数のスロットの位置情報と、各々のスロットに挿入されている前記情報閲覧装置のサイズと、に基づいて、各々の情報閲覧装置の前記表示部の視認可能な表示領域を特定する視認可能表示領域特定部と、前記視認可能な表示領域のサイズに応じて、当該表示領域に表示する情報の表示形態を設定し、前記各々の情報閲覧装置の前記表示部の前記特定した視認可能な表示領域に、前記設定した表示形態で、前記各々の情報閲覧装置を識別するための情報を表示させる制御部と、を備えるものであり、前記制御部は、前記情報閲覧装置が挿抜された場合に、前記視認可能な表示領域のサイズの変化に応じて、前記情報の表示形態を変更する構成とすることができる。
【発明の効果】
【００１４】
本発明の情報閲覧システムによれば、情報閲覧装置の状態に応じて、当該情報閲覧装置を識別するための情報を効果的に表示することができる。
【００１５】
その理由は、情報閲覧装置と当該情報閲覧装置を保持する保持装置とを含む情報閲覧システムにおいて、保持装置は、情報閲覧装置を保持するスロットの配置と各スロットに挿入された情報閲覧装置のサイズとに基づいて、各情報閲覧装置の視認可能な表示領域を特定し、その視認可能な表示領域のサイズに基づいて、当該情報閲覧装置を識別するための情報の表示形態を変更する制御を行うからである。また、情報閲覧装置が挿抜された場合には、その状態における各情報閲覧装置の視認可能な表示領域を特定し、当該表示領域のサイズが変化した場合には、サイズの変化に基づいて情報の表示形態も変化させる制御を行うからである。
【図面の簡単な説明】
【００１６】
【図１】本発明の一実施例に係る情報閲覧システムの構成を模式的に示す斜視図である。
【図２】本発明の一実施例に係る情報閲覧装置の構成を示すブロック図である。
【図３】本発明の一実施例に係る保持装置の構成を示すブロック図である。
【図４】本発明の一実施例に係る情報閲覧装置の視認可能な表示領域を説明する斜視図及び正面図である。
【図５】本発明の一実施例に係る情報閲覧装置の視認可能な表示領域に表示される情報の表示例を示す図である。
【図６】本発明の一実施例に係る情報閲覧装置の視認可能な表示領域を説明する斜視図及び正面図である。
【図７】本発明の一実施例に係る情報閲覧装置の視認可能な表示領域を説明する斜視図及び正面図である。
【図８】本発明の一実施例に係る情報閲覧装置の視認可能な表示領域を説明する斜視図及び正面図である。
【図９】本発明の一実施例に係る情報閲覧システムの動作（情報閲覧装置に情報を表示する動作）を示すフローチャート図である。
【図１０】本発明の一実施例に係る情報閲覧システムの動作（情報閲覧装置が挿抜された場合における情報閲覧装置に情報を表示する動作）を示すフローチャート図である。
【発明を実施するための形態】
【００１７】
背景技術で示したように、保持装置に挿入した複数の情報閲覧装置を複数のユーザで共有する場合において、所望の情報閲覧装置を識別できるようにするために、各情報閲覧装置の表示部の所定の位置に情報閲覧装置を識別するための情報を表示する方法がある。しかしながら、各々の情報閲覧装置の表示部の視認可能な表示領域は、保持装置のスロットの配置や情報閲覧装置のサイズ、情報閲覧装置の挿抜状態などによって変化するため、所定の位置に一律に表示する方法では上記情報を効果的に表示することができず、所望の情報閲覧装置を容易に識別することができないという問題があった。
【００１８】
そこで、本発明の一実施の形態では、複数の情報閲覧装置と、複数の情報閲覧装置を段違いに保持する保持装置と、を含む情報閲覧システムにおいて、保持装置のスロットの位置と、各スロットに挿入された情報閲覧装置のサイズとに基づいて、各情報閲覧装置の視認可能な表示領域を特定し、その表示領域のサイズに基づいて、情報閲覧装置を識別するための情報の表示形態を決定するようにして、上記情報を効果的に表示できるようにする。
【実施例】
【００１９】
上記した本発明の一実施の形態についてさらに詳細に説明すべく、本発明の一実施例に係る情報閲覧システムについて、図１乃至図１０を参照して説明する。図１は、本実施例の情報閲覧システムの構成を模式的に示す斜視図であり、図２は、情報閲覧装置の構成を示すブロック図、図３は、保持装置の構成を示すブロック図である。また、図４及び図６乃至図８は、情報閲覧装置の視認可能な表示領域を示す図であり、図５は、視認可能な表示領域に表示される情報の表示例を示す図である。また、図９及び図１０は、情報閲覧システムの動作を示すフローチャート図である。
【００２０】
図１に示すように、本実施例の情報閲覧システム１０は、複数の情報閲覧装置２０と、複数の情報閲覧装置２０を挿抜可能に保持する保持装置３０と、保持装置３０に電子データを送信する処理装置（本実施例では、画像形成装置５０とする。）などにより構成される。
【００２１】
なお、本実施例では、処理装置として画像形成装置５０を例示するが、処理装置は情報閲覧装置２０に表示させる電子データを取り扱う装置であればよく、例えば、文書の電子データを作成するクライアントのコンピュータ装置、電子データを保存するサーバなどとしてもよい。また、保持装置３０自体が、情報閲覧装置２０に表示させる電子データを取り扱う場合は、処理装置を省略することもできる。以下、情報閲覧装置２０と保持装置３０について詳細に説明する。
【００２２】
［情報閲覧装置］
情報閲覧装置２０は、電子ペーパーや電子ブックなどの記憶手段と表示手段とを備えた装置であり、図２に示すように、ＣＰＵ（Central Processing Unit）２１、メモリ２２、表示部（電子ペーパー）２３、表示コントローラ２４、操作部（タッチパネル）２５、通信部２６、電池２７、装着検出部２８、データ復号化部２９などを備える。
【００２３】
ＣＰＵ２１は、メモリ２２から読み出した各種プログラムを実行し、各部の動作を制御する。メモリ２２は、ＲＯＭ（Read Only Memory）やＲＡＭ（Random Access Memory）などで構成され、ＣＰＵ２１で動作する各種プログラムや、情報閲覧装置２０の動作を制御するための設定情報、表示部２３に表示させる電子データ、自装置を識別するための情報などを記憶する。そして、ＣＰＵ２１とメモリ２２とで制御部が構成される。
【００２４】
表示部２３は、透明な液体の中で浮動する微粒子を電界によって移動させて表示を行う電子ペーパー（ＥＰＤ：Electrophoretic Display）や液晶表示装置（ＬＣＤ：Liquid Crystal Display）、有機ＥＬ（electroluminescence）表示装置等からなり、保持装置３０から送られた電子データに基づく画像や上述した自装置を識別するための情報（例えば、自装置のＩＤ、自装置に書き込まれた電子データのファイル名、電子データを書き込んだユーザのＩＤ、そのユーザが指定した情報）などを表示する。
【００２５】
表示コントローラ２４は、表示部２３を駆動し、画面の表示や消去を制御する。本実施例では、特に、表示部２３の所定の露出領域（表示部２３に正対する方向から見て、前の情報閲覧装置２０越しに視認可能な表示領域）に、当該表示領域のサイズに応じて定められた表示形態で、自装置を識別するための情報を表示させる制御を行う。
【００２６】
操作部２５は、ボタンやスイッチ、表示部２３上に透明電極が格子状に配置された感圧式のタッチパネルなどである。タッチパネルでは、手指やタッチペン等で押下された力点のＸＹ座標を電圧値で検出し、検出された位置信号を操作信号としてＣＰＵ２１に出力する。
【００２７】
通信部２６は、保持装置３０と接続するためのインターフェースであり、有線通信や無線通信、赤外線通信、Bluetooth（登録商標）などを利用して、保持装置３０との通信を確立する。
【００２８】
電池２７は、保持装置３０の情報閲覧装置充電部から供給される電力によって充電され、情報閲覧装置２０の各部を駆動するための電力を供給する。
【００２９】
装着検出部２８は、情報閲覧装置２０が保持装置３０のスロットに装着されたことを検出する。検出の方法は特に限定されず、例えば、電池２７と保持装置３０の情報閲覧装置充電部とが接続されたか否かで装着を検出したり、情報閲覧装置２０に設けた電極と保持装置３０に設けた電極とが電気的に接続されたか否かで装着を検出したり、情報閲覧装置２０の底部に自重によってＯＮ／ＯＦＦする電気接点を設け、この電気接点のＯＮ／ＯＦＦによって装着を検出したりすることができる。
【００３０】
データ復号化部２９は、保持装置３０を介して画像形成装置５０から送信される電子データが暗号化されている場合に、表示部２３で表示可能なデータに変換する。
【００３１】
なお、図３では、表示コントローラ２４や装着検出部２８、データ復号化部２９をハードウェアとして構成しているが、これらは、制御部（ＣＰＵ２１）により実行されるプログラムとして構成してもよい。
【００３２】
［保持装置］
保持装置３０は、情報閲覧装置２０を保持する機構と、情報閲覧装置２０とデータ通信を行う機能と、必要に応じて、情報閲覧装置２０の電池２７を充電する機能とを備えた装置であり、画像形成装置５０の本体や付属品（例えば、本体と分離した給紙部や後処理部など）に固定される。
【００３３】
この保持装置３０は、図１に示すように、複数の情報閲覧装置２０を挿抜可能に保持する機構（複数のスロット）を備えており、情報閲覧装置２０の表示部２３に正対する方向から見て、後ろのスロットに挿入された情報閲覧装置２０の表示部２３がそれよりも前のスロットに挿入された情報閲覧装置２０によって完全に隠れてしまわないように、複数の情報閲覧装置２０を段違いに保持するようになっている。また、必要に応じて、各スロットは、情報閲覧装置２０を抜き取りやすくするために、情報閲覧装置２０をスロットから飛び出させるイジェクト機能を備えている。なお、上記保持装置３０の形状は図の構成に限定されず、表示部２３に正対する方向から見て、複数の情報閲覧装置２０が完全に重ならないように保持できる構造であればよい。また、本実施例では、複数の情報閲覧装置２０を同じ形状とするが、情報閲覧装置２０の形状は異なっていてもよい。
【００３４】
また、上記保持装置３０は、図３に示すように、ＣＰＵ３１、メモリ３２、情報閲覧装置用通信部３３、データ暗号化部３４、情報閲覧装置充電部３５、情報閲覧装置検出部３６、視認可能表示領域特定部３７、情報閲覧装置セット管理部３８、画像形成装置用通信部３９、電源４０などを備える。
【００３５】
ＣＰＵ３１は、メモリ３２から読み出した各種プログラムを実行し、各部の動作を制御する。メモリ３２は、ＲＯＭやＲＡＭなどで構成され、ＣＰＵ３１で動作する各種プログラムや、保持装置３０の動作を制御するための設定情報、情報閲覧装置２０に表示させるデータなどを記憶する。そして、ＣＰＵ３１とメモリ３２とで制御部が構成され、制御部は、情報閲覧装置２０に対して、視認可能表示領域特定部３７が特定した表示領域のサイズに応じた表示形態で、情報閲覧装置セット管理部３８が管理している情報を表示させるための制御（表示領域及び表示形態を指示する情報と表示領域に表示する情報とを情報閲覧装置２０に送信する制御、若しくは、表示領域に上記情報を表示させるための画面データを作成して情報閲覧装置２０に送信する制御）も実行する。
【００３６】
情報閲覧装置用通信部３３は、１又は複数の情報閲覧装置２０と接続するためのインターフェースであり、有線通信や無線通信、赤外線通信、Bluetooth（登録商標）などを利用して、各々の情報閲覧装置２０との通信を確立し、画像形成装置５０から受信したデータや情報閲覧装置２０を識別するための情報を情報閲覧装置２０に送信する。
【００３７】
データ暗号化部３４は、必要に応じて、画像形成装置５０から取得した電子データを暗号化する。
【００３８】
情報閲覧装置充電部３５は、電源３９の電力を１又は複数の情報閲覧装置２０の電池２７に供給し、電池２７を充電する。
【００３９】
情報閲覧装置検出部３６は、情報閲覧装置２０がスロットに挿入されたことを検出し、そのスロットの番号や情報閲覧装置２０の識別情報を情報閲覧装置セット管理部３８に通知する。なお、情報閲覧装置２０の挿入や位置を検出する方法は特に限定されず、例えば、情報閲覧装置充電部３５と情報閲覧装置２０の電池２７とが接続されたか否かで装着や位置を検出したり、保持装置３０の各スロットに設けた電極と情報閲覧装置２０に設けた電極とが電気的に接続されたか否かで装着や位置を検出したり、保持装置３０の各スロットの底部に情報閲覧装置２０の自重によってＯＮ／ＯＦＦする電気接点を設け、この電気接点のＯＮ／ＯＦＦによって装着や位置を検出したりすることができる。
【００４０】
視認可能表示領域特定部３７は、情報閲覧装置セット管理部３８から、スロットの位置情報、情報閲覧装置２０が挿入されたスロット番号、各スロットに挿入された情報閲覧装置２０のサイズなどを取得し、これらの情報に基づき、幾何学的な手法を用いて、各情報閲覧装置２０の表示部２３の視認可能な表示領域を設定する。
【００４１】
情報閲覧装置セット管理部３８は、スロットの位置情報、情報閲覧装置２０が挿入されたスロット番号、各スロットに挿入された情報閲覧装置２０のサイズ（表示部２３のサイズ及び装置全体のサイズ）、各情報閲覧装置２０を識別するための情報などを関連付けて管理する。なお、スロットの位置情報や各情報閲覧装置２０のサイズは、予め管理者などによって入力されているものとする。
【００４２】
画像形成装置用通信部３９は、画像形成装置５０と接続するためのインターフェースであり、有線通信や無線通信、赤外線通信、Bluetooth（登録商標）などを利用して、画像形成装置５０との通信を確立し、画像形成装置５０から情報閲覧装置２０に送信するデータを受信し、そのデータのファイル名、データの書き込みを指示したユーザのユーザＩＤ、そのユーザが指定した情報などの情報を情報閲覧装置セット管理部３８に通知する。
【００４３】
電源４０は、保持装置３０の各部を駆動するための電力を供給する。
【００４４】
なお、図３では、視認可能表示領域特定部３７や情報閲覧装置セット管理部３８をハードウェアとして構成しているが、これらは、制御部（ＣＰＵ３１）により実行されるプログラムとして構成してもよい。
【００４５】
次に、保持装置３０に保持された情報閲覧装置２０の視認可能な表示領域について、図４乃至図８を参照して説明する。なお、図４乃至図８の説明に際して、保持装置３０のスロットは図の右側から順にスロット１〜スロット５とし、各情報閲覧装置２０の表示部２３は、図の同じ側（ここでは右側）に配置されているものとする。
【００４６】
図４に示すように、スロットの深さが一定の間隔で徐々に変化する保持装置３０に、同じサイズの複数の情報閲覧装置２０がセットされた状態において（図の左上参照）、スロット５に挿入された最後尾の情報閲覧装置２０の表示部２３の視認可能な表示領域（図の網掛け部）は、その前のスロット４に挿入されている情報閲覧装置２０越しに見える領域であり、表示領域は小さい。一方、スロット３に挿入された情報閲覧装置２０の表示部２３の視認可能な表示領域は、スロット２には情報閲覧装置２０が挿入されていないため、スロット１に挿入されている情報閲覧装置２０越しに見える領域となり、表示領域は大きい。
【００４７】
ここで、視認可能な表示領域のサイズにかかわらず、情報閲覧装置２０を識別するための情報を同じサイズで表示すると、スロット３に挿入された情報閲覧装置２０の表示部２３の視認可能な表示領域を有効に利用することができない。そこで、本実施例では、保持装置３０の制御部は、視認可能表示領域特定部３７が特定した表示領域のサイズに応じて、上記情報の表示形態（例えば、文字サイズや文字数）を設定し、その表示形態で情報が表示されるように、各情報閲覧装置２０の表示を制御する。例えば、表示領域のサイズが大きい、スロット３に挿入された情報閲覧装置２０の表示部２３には、スロット５に挿入された情報閲覧装置２０よりも、大きなサイズの文字が表示されるように制御する（図の左下参照）。
【００４８】
また、この状態から、ある情報閲覧装置２０（ここではスロット４に挿入されている情報閲覧装置２０）を抜き取ると（図の右上参照）、スロット５に挿入された最後尾の情報閲覧装置２０は、抜き取った情報閲覧装置２０の前の情報閲覧装置２０（スロット３に挿入されている情報閲覧装置２０）に遮られることになるため、ユーザが視認可能な表示領域は拡大する。そこで、本実施例では、保持装置３０の制御部は、表示領域のサイズの変化に応じて情報の表示形態を変え、その表示形態で情報が表示されるように、各情報閲覧装置２０の表示を制御する。例えば、表示領域のサイズが拡大した、スロット３に挿入された情報閲覧装置２０の表示部２３には、スロット４に挿入されている情報閲覧装置２０が抜き取られる前よりも、大きなサイズの文字が表示されるように制御する（図の右下参照）。
【００４９】
また、図示しないが、空きスロットに情報閲覧装置２０が挿入された場合は、その後ろのスロットに挿入された情報閲覧装置２０の表示部２３は、新たに挿入された情報閲覧装置２０に遮られることになるため、ユーザが視認可能な表示領域は縮小する。その場合も、表示領域のサイズの変化に応じて、情報の表示形態を変え（例えば、文字サイズを小さくしたり、文字数を減らし）、前のスロットに挿入された情報閲覧装置２０に遮られて情報が見えなくなってしまう不具合を未然に防止する。
【００５０】
なお、図４では、情報閲覧装置２０を識別するための情報としてユーザＩＤを例示したが、装置ＩＤや当該装置に書き込まれた電子データのファイル名、電子データを書き込んだユーザのＩＤ、そのユーザが指定した情報としてもよい。また、図４では、表示形態の変更例として文字サイズを変えたが、例えば、図５に示すように、表示する情報量を増やしてもよい。また、情報をスクロールして表示したり、色を変えたり、点滅させたりしてもよい。
【００５１】
また、図４では、所定の情報閲覧装置２０を保持装置３０から抜き取った場合を例示したが、保持装置３０の各スロットに、挿入された情報閲覧装置２０をイジェクトする機能を備えている場合も、イジェクトされた情報閲覧装置２０及びその後ろのスロットに挿入された情報閲覧装置２０の視認可能な表示領域が変化するため、表示領域のサイズの変化に応じて、情報の表示形態を変えることで、所望の情報閲覧装置２０を識別しやすくすることができる。
【００５２】
例えば、図６に示すように、スロット２に挿入された情報閲覧装置２０の表示部２３の視認可能な表示領域は、その前のスロット１に挿入されている情報閲覧装置２０越しに見える領域であり、表示領域は小さいが、スロット４に挿入された情報閲覧装置２０の表示部２３の視認可能な表示領域は、スロット３には情報閲覧装置２０が挿入されていないため、スロット２に挿入されている情報閲覧装置２０越しに見える領域となり、表示領域は大きい（図の左上参照）。そこで、スロット４に挿入された情報閲覧装置２０の表示部２３には、スロット２に挿入された情報閲覧装置２０よりも、大きなサイズの文字が表示されるように制御する（図の左下参照）。
【００５３】
この状態から、スロット２に挿入されている情報閲覧装置２０をイジェクトすると、この情報閲覧装置２０の視認可能な表示領域は拡大するが、スロット４に挿入された情報閲覧装置２０は、スロット２から飛び出した情報閲覧装置２０に遮られることになるため、視認可能な表示領域は縮小する（図の右上参照）。そこで、イジェクトした情報閲覧装置２０の表示部２３には、イジェクト前よりも、大きなサイズの文字が表示されるように制御し、スロット４に挿入された情報閲覧装置２０の表示部２３には、イジェクト前よりも、小さなサイズの文字が表示されるように制御する（図の右下参照）。
【００５４】
また、図４及び図６では、スロットの深さが徐々に変化する場合を例示したが、例えば、図７に示すように、保持装置３０自体を階段状に形成した場合も、同様に、視認可能な表示領域のサイズの変化に応じて、情報の表示形態を変えることで、所望の情報閲覧装置２０を識別しやすくすることができる。また、図８に示すように、スロットの位置を徐々にずらして形成した場合も、同様に、視認可能な表示領域の変化に応じて、情報の表示形態を変えることで、所望の情報閲覧装置２０を識別しやすくすることができる。
【００５５】
また、図４及び図６乃至図８では、複数の情報閲覧装置２０を同じサイズとしたが、異なるサイズの情報閲覧装置２０が挿入されている場合も、同様に、視認可能な表示領域の変化に応じて、情報の表示形態を変えることで、所望の情報閲覧装置２０を識別しやすくすることができる。
【００５６】
次に、保持装置３０のスロットに情報閲覧装置２０が挿入されている状態において、視認可能な表示領域のサイズに応じて表示形態を変える場合の保持装置３０の動作について、図９のフローチャート図を参照して説明する。なお、以下の説明において、画像形成装置５０から保持装置３０に、情報閲覧装置２０に書き込む電子データのファイル名、その電子データの書き込みを指示したユーザのＩＤ、そのユーザが指示した情報（例えば、特定のマークや図形、模様、文字列など）が通知され、これらの情報が電子データを書き込んだ情報閲覧装置２０や当該情報閲覧装置２０を保持するスロットに関連付けて情報閲覧装置セット管理部３８に登録されているものとする。
【００５７】
まず、保持装置３０の情報閲覧装置検出部３６は、スロットに挿入された情報閲覧装置２０が１枚以上存在するかを確認する（Ｓ１０１）。ここで、１枚もセットされた情報閲覧装置２０がない場合は、情報閲覧装置２０の表示処理は行なわず、制御部は、画像形成装置５０に情報閲覧装置２０がないことを通知する（Ｓ１０４）。
【００５８】
一方、情報閲覧装置２０が１枚以上存在する場合は、視認可能表示領域特定部３７は、各々の情報閲覧装置２０の表示部２３の視認可能な表示領域を特定する（Ｓ１０２）。具体的には、情報閲覧装置検出部３６から情報閲覧装置２０が挿入されているスロットの番号とその情報閲覧装置２０の識別情報を取得し、情報閲覧装置セット管理部３８からスロットの位置情報と各スロットに挿入されている情報閲覧装置２０のサイズを取得し、それらの情報から幾何学的な手法により、各情報閲覧装置２０の表示部２３の視認可能な表示領域を特定する。
【００５９】
なお、スロットが一定間隔で配置され、スロットの深さ（図７の構造の場合はスロットの高さ、図８の構造の場合はスロットの位置）が一定間隔で変化し、全ての情報閲覧装置２０が同じサイズの場合は、どのスロットに情報閲覧装置２０が挿入されているかを確認するだけで、各情報閲覧装置２０の表示部２３の視認可能な表示領域を特定することができる。
【００６０】
次に、制御部は、情報閲覧装置セット管理部３８から各情報閲覧装置２０を識別するための情報を取得し、視認可能表示領域特定部３７が特定した視認可能な表示領域のサイズに応じて、その情報の表示形態を設定する（Ｓ１０３）。例えば、視認可能な表示領域の全体に情報が表示されるように、文字のフォントを設定したり、表示する文字数を調整したりする。そして、表示領域及び表示形態を指示する情報と表示領域に表示する情報とを情報閲覧装置２０に送信、若しくは、表示領域の全体に上記情報を表示させるための画面データを作成し情報閲覧装置２０に送信する。
【００６１】
このように、保持装置３０に１以上の情報閲覧装置２０が挿入されている状態において、情報閲覧装置２０が挿入されているスロットの位置とその情報閲覧装置２０のサイズとに基づいて視認可能な表示領域を特定し、その表示領域のサイズに基づいて、情報閲覧装置２０を識別するための情報の表示形態を設定することにより、ユーザは容易に所望の情報閲覧装置２０を識別することが可能となる。
【００６２】
次に、情報閲覧装置２０が挿抜された場合の保持装置３０の動作について、図１０のフローチャート図を参照して説明する。
【００６３】
まず、保持装置３０の情報閲覧装置検出部３６は、スロットに挿入された情報閲覧装置２０が１枚以上存在するかを確認する（Ｓ２０１）。ここで、１枚もセットされた情報閲覧装置２０がない場合は、情報閲覧装置２０の表示処理は行なわず、制御部は、画像形成装置５０に情報閲覧装置２０がないことを通知する（Ｓ２０７）。
【００６４】
一方、情報閲覧装置２０が１枚以上存在する場合は、情報閲覧装置検出部３６は、情報閲覧装置２０が挿抜されたかを判断する（Ｓ２０２）。すなわち、今まで表示されていた情報閲覧装置２０の表示面側に別の情報閲覧装置２０がセットされたり、表示されていた情報閲覧装置２０が抜き取られたり、イジェクトされたことを検出する。
【００６５】
情報閲覧装置２０が挿抜されていない場合は、表示情報閲覧装置２０の表示形態の変更は行わず、制御部は、前回の表示形態のまま情報閲覧装置２０に情報を表示させる（Ｓ２０８）。
【００６６】
一方、情報閲覧装置２０が挿抜された場合は、視認可能表示領域特定部３７は、抜き取られた情報閲覧装置２０以外の情報閲覧装置２０の視認可能な表示領域を確認し（Ｓ２０３）、視認可能な表示領域に変化があったかを判断する（Ｓ２０４）。例えば、最後尾のスロットに装着されている情報閲覧装置２０が抜き取られた場合は、その前のスロットに挿入されている情報閲覧装置２０は抜き取られた情報閲覧装置２０には影響を受けないため、視認可能な表示領域に変化はないと判断し、その他の場合は、少なくとも１つの情報閲覧装置２０は影響を受けるため、視認可能な表示領域が変化したと判断する。
【００６７】
もし、変化があった場合は（Ｓ２０４のＹＥＳ）、視認可能表示領域特定部３７は、変化があった情報閲覧装置２０の視認可能な表示領域を特定し（Ｓ２０５）、制御部は、そのサイズに応じて、情報の表示形態を変更する（Ｓ２０６）。例えば、ある情報閲覧装置２０が引き抜かれて、その後ろのスロットに挿入されている情報閲覧装置２０の視認可能な表示領域が大きくなった場合は、そのサイズに合わせて文字のフォントを大きくしたり、表示する文字数を増やしたりする。また、ある情報閲覧装置２０の前の空きスロットに他の情報閲覧装置２０が挿入されて、当該情報閲覧装置２０の視認可能な表示領域が小さくなった場合は、そのサイズに合わせて文字のフォントを小さくしたり、表示する文字数を減らしたりする。そして、表示領域及び表示形態を指示する情報と表示領域に表示する情報とを情報閲覧装置２０に送信、若しくは、表示領域の全体に上記情報を表示させるための画面データを作成し情報閲覧装置２０に送信する。
【００６８】
このように、保持装置３０から情報閲覧装置２０が抜き抜かれたり、イジェクトされたり、空きスロットに情報閲覧装置２０が挿入されたりした場合に、視認可能な表示領域のサイズの変化に基づいて、情報閲覧装置２０を識別するための情報の表示形態を変更することにより、ユーザは容易に所望の情報閲覧装置２０を識別することが可能となる。
【００６９】
以上、情報閲覧装置２０の状態が変化した時に表示形態を変更する場合について説明したが、情報閲覧装置２０へのデータの書き込みが行われた後、さらにその情報閲覧装置２０に対して追記を行いたい場合が発生する。
【００７０】
この場合、すでにデータが書き込みされている情報閲覧装置２０は、その情報閲覧装置２０の視認可能な表示領域にすでにユーザを情報閲覧装置２０を識別するための情報が表示されているが、さらにデータ追記が行われた場合、現在の表示内容に加えて追記されたことを特定する表示を追加することもできる。このような制御を行うことにより、ユーザはデータが追記された自分の情報閲覧装置２０を確実に識別することができる。
【００７１】
なお、本発明は上記実施例に限定されるものではなく、本発明の趣旨を逸脱しない限りにおいて、その構成や制御は適宜変更可能である。例えば、上記実施例では、情報閲覧装置２０を表示部２３に正対する方向から見た場合の表示制御について説明したが、情報閲覧装置２０を斜め上方や斜め側方から見る場合に対しても同様に適用することができる。
【産業上の利用可能性】
【００７２】
本発明は、電子ペーパー等の情報閲覧装置と、情報閲覧装置を保持する保持装置とを含むシステムに利用可能である。
【符号の説明】
【００７３】
１０  情報閲覧システム
２０  情報閲覧装置
２１  ＣＰＵ
２２  メモリ
２３  表示部
２４  表示コントローラ
２５  操作部
２６  通信部
２７  電池
２８  装着検出部
２９  データ復号化部
３０  保持装置
３１  ＣＰＵ
３２  メモリ
３３  情報閲覧装置用通信部
３４  データ暗号化部
３５  情報閲覧装置充電部
３６  情報閲覧装置検出部
３７  視認可能表示領域特定部
３８  情報閲覧装置セット管理部
３９  画像形成装置用通信部
４０  電源
５０  画像形成装置
【図１】
2012088383.tif 000003
【図２】
2012088383.tif 000004
【図３】
2012088383.tif 000005
【図４】
2012088383.tif 000006
【図５】
2012088383.tif 000007
【図６】
2012088383.tif 000008
【図７】
2012088383.tif 000009
【図８】
2012088383.tif 000010
【図９】
2012088383.tif 000011
【図１０】
2012088383.tif 000012